(57)【要約】【課題】施工の現場における騒音測定を効率化できる施工管理システムを提供することを課題とする。【解決手段】携帯端末と、サーバ装置と、端末装置とが、ネットワークを介して通信を行う施工管理システムであって、端末装置は測定場所の騒音測定に関する情報をサーバ装置に登録する手段を有し、サーバ装置は測定場所の騒音測定に関する情報を携帯端末に提供する手段を有し、携帯端末は測定場所の騒音測定に関する情報に基づき、図面上に測定場所を表すアイコンと、ユーザに選択されたアイコンが表す測定場所の騒音測定の結果の合否を表示する表示処理手段と、騒音測定器と連動して騒音測定を行う手段と、騒音測定の結果の合否を判定し、判定結果を表示処理手段に表示させる手段とを有することで課題を解決する。【選択図】図１
2018163423.tif 000002
【特許請求の範囲】
【請求項１】
騒音測定器と連動して騒音測定を行う１台以上の携帯端末と、ユーザの操作により前記携帯端末が行った騒音測定の結果を管理するサーバ装置と、前記携帯端末が行った騒音測定の結果の合否を判定するための情報を前記サーバ装置に登録する端末装置とが、ネットワークを介して通信を行う施工管理システムであって、
前記端末装置は、
施工現場の図面上の位置で表した騒音測定場所の騒音測定に関する情報として前記施工現場の図面上の位置と前記騒音測定場所の騒音測定の結果の合否を判定するための情報との入力をユーザから受け付け、前記騒音測定場所の騒音測定に関する情報を前記サーバ装置に登録する登録受付手段、
を有し、
前記サーバ装置は、
前記施工現場における前記騒音測定場所の騒音測定に関する情報を前記携帯端末に提供する提供手段と、
前記携帯端末が前記騒音測定器と連動して行った騒音測定の結果を受信し、前記施工現場における前記騒音測定場所の騒音測定に関する情報と対応付けて保存する保存手段と、
を有し、
前記携帯端末は、
前記サーバ装置から提供された前記騒音測定場所の騒音測定に関する情報に基づき、前記施工現場の図面上に前記騒音測定場所を表すアイコンと、ユーザにより選択された前記アイコンが表す前記騒音測定場所の騒音測定の結果を表示する表示処理手段と、
ユーザによる指示により前記騒音測定器と連動して騒音測定を行う測定デバイス制御手段と、
前記携帯端末が行った騒音測定の結果の合否を判定し、その判定結果を前記表示処理手段に表示させる測定データ処理手段と、
を有すること、を特徴とする施工管理システム。
【請求項２】
前記測定データ処理手段は、前記携帯端末が前記騒音測定器と連動して行った騒音測定の結果であるＮＣ（Noise  Criteria）値と、前記騒音測定場所のＮＣ許容値とを比較して、前記騒音測定の結果の合否を判定すること
を特徴とする請求項１記載の施工管理システム。
【請求項３】
前記携帯端末は、
前記騒音測定が完了した前記騒音測定場所を表すアイコンの色を、前記騒音測定が完了していない前記騒音測定場所を表すアイコンの色と異ならせるように更新するアイコン更新処理手段、
を更に有すること、を特徴とする請求項１又は２記載の施工管理システム。
【請求項４】
前記表示処理手段は、前記携帯端末と前記騒音測定器とが連動して行う騒音測定の開始指示をユーザから受け付ける手段、を有すること、を特徴とする請求項１乃至３何れか一項記載の施工管理システム。
【請求項５】
騒音測定器と連動して騒音測定を行う携帯端末の施工管理方法であって、
ユーザの指示により前記騒音測定器と連動して騒音測定を行う測定デバイス制御ステップと、
前記騒音測定の結果の合否を判定する測定データ処理ステップと、
ネットワークを介して通信可能なサーバ装置から提供された施工現場における騒音測定場所における騒音測定の結果の合否を表示する表示処理ステップと、
を有すること、を特徴とする施工管理方法。
【請求項６】
騒音測定器と連動して騒音測定を行う携帯端末の騒音測定方法であって、
ユーザの指示により前記騒音測定器と連動して騒音測定を行う測定デバイス制御ステップと、
前記騒音測定の結果の合否を判定する測定データ処理ステップと、
ネットワークを介して通信可能なサーバ装置から提供された施工現場における騒音測定場所における騒音測定の結果の合否を表示する表示処理ステップと、
を有すること、を特徴とする騒音測定方法。
【請求項７】
騒音測定器と連動して騒音測定を行う携帯端末であって、
ユーザの指示により前記騒音測定器と連動して騒音測定を行う測定デバイス制御手段と、
前記騒音測定の結果の合否を判定する測定データ処理手段と、
ネットワークを介して通信可能なサーバ装置から提供された施工現場における騒音測定場所における騒音測定の結果の合否を表示する表示処理手段と、
を有すること、を特徴とする携帯端末。
【請求項８】
騒音測定器と連動して騒音測定を行う携帯端末を、
ネットワークを介して通信可能なサーバ装置から提供された施工現場における騒音測定場所の騒音測定に関する情報に基づき、前記施工現場の図面上に前記騒音測定場所を表すアイコンと、ユーザにより選択された前記アイコンが表す前記騒音測定場所の騒音測定の結果の合否を表示する表示処理手段、
ユーザによる指示により前記騒音測定器と連動して騒音測定を行う測定デバイス制御手段、
前記騒音測定の結果の合否を判定し、その判定結果を前記表示処理手段に表示させる測定データ処理手段、
として機能させるためのプログラム。
【発明の詳細な説明】
【技術分野】
【０００１】
本発明は施工管理システム、施工管理方法、騒音測定方法、携帯端末及びプログラムに関する。
【背景技術】
【０００２】
施工の現場において行われる現場業務には、現場における試運転調整が含まれる。例えば空調設備の試運転調整では、風量測定や騒音測定が行われる。施工管理を行うユーザは現場において測定した測定データを、例えば事務所で整理し、帳票を作成していた。例えばＣＡＤ装置及び携帯端末装置等を用いて空調設備や衛生設備等の配管、建築設備等の施工状態を管理する施工管理システムが知られている（例えば特許文献１参照）。
【先行技術文献】
【特許文献】
【０００３】
【特許文献１】特許第５１３８０６８号公報
【発明の概要】
【発明が解決しようとする課題】
【０００４】
従来、施工管理を行うユーザは現場において測定した騒音データを、例えば事務所で整理し、帳票を作成していた。ところで、帳票には設計で意図しているＮＣ許容値を、測定した騒音データが満たしているかの合否判定の項目が含まれている場合がある。このような場合、ユーザは現場業務後、事務所に戻って作成した帳票の合否判定の項目が、合格でなければ、再度、現場において試運転調整を行い、騒音測定をやり直す必要があり、非効率であった。
【０００５】
本発明の一実施形態は、施工の現場における騒音測定を効率化できる施工管理システム、施工管理方法、騒音測定方法、携帯端末及びプログラムを提供することを目的とする。
【課題を解決するための手段】
【０００６】
上記した目的を達成するため、本願発明は、騒音測定器と連動して騒音測定を行う１台以上の携帯端末と、ユーザの操作により前記携帯端末が行った騒音測定の結果を管理するサーバ装置と、前記携帯端末が行った騒音測定の結果の合否を判定するための情報を前記サーバ装置に登録する端末装置とが、ネットワークを介して通信を行う施工管理システムであって、前記端末装置は、施工現場の図面上の位置で表した騒音測定場所の騒音測定に関する情報として前記施工現場の図面上の位置と前記騒音測定場所の騒音測定の結果の合否を判定するための情報との入力をユーザから受け付け、前記騒音測定場所の騒音測定に関する情報を前記サーバ装置に登録する登録受付手段、を有し、前記サーバ装置は、前記施工現場における前記騒音測定場所の騒音測定に関する情報を前記携帯端末に提供する提供手段と、前記携帯端末が前記騒音測定器と連動して行った騒音測定の結果を受信し、前記施工現場における前記騒音測定場所の騒音測定に関する情報と対応付けて保存する保存手段と、を有し、前記携帯端末は、前記サーバ装置から提供された前記騒音測定場所の騒音測定に関する情報に基づき、前記施工現場の図面上に前記騒音測定場所を表すアイコンと、ユーザにより選択された前記アイコンが表す前記騒音測定場所の騒音測定の結果の合否を表示する表示処理手段と、ユーザによる指示により前記騒音測定器と連動して騒音測定を行う測定デバイス制御手段と、前記携帯端末が行った騒音測定の結果の合否を判定し、その判定結果を前記表示処理手段に表示させる測定データ処理手段と、を有すること、を特徴とする。
【０００７】
また、上記した目的を達成するため、本願発明は、騒音測定器と連動して騒音測定を行う携帯端末の施工管理方法であって、ユーザの指示により前記騒音測定器と連動して騒音測定を行う測定デバイス制御ステップと、前記騒音測定の結果の合否を判定する測定データ処理ステップと、ネットワークを介して通信可能なサーバ装置から提供された施工現場における騒音測定場所における騒音測定の結果の合否を表示する表示処理ステップと、を有すること、を特徴とする。
【０００８】
また、上記した目的を達成するため、本願発明は、騒音測定器と連動して騒音測定を行う携帯端末の騒音測定方法であって、ユーザの指示により前記騒音測定器と連動して騒音測定を行う測定デバイス制御ステップと、前記騒音測定の結果の合否を判定する測定データ処理ステップと、ネットワークを介して通信可能なサーバ装置から提供された施工現場における騒音測定場所における騒音測定の結果の合否を表示する表示処理ステップと、を有すること、を特徴とする。
【０００９】
また、上記した目的を達成するため、本願発明は、騒音測定器と連動して騒音測定を行う携帯端末であって、ユーザの指示により前記騒音測定器と連動して騒音測定を行う測定デバイス制御手段と、前記騒音測定の結果の合否を判定する測定データ処理手段と、ネットワークを介して通信可能なサーバ装置から提供された施工現場における騒音測定場所における騒音測定の結果の合否を表示する表示処理手段と、を有すること、を特徴とする。
【００１０】
また、上記した目的を達成するため、本願発明は、騒音測定器と連動して騒音測定を行う携帯端末を、ネットワークを介して通信可能なサーバ装置から提供された施工現場における騒音測定場所の騒音測定に関する情報に基づき、前記施工現場の図面上に前記騒音測定場所を表すアイコンと、ユーザにより選択された前記アイコンが表す前記騒音測定場所の騒音測定の結果の合否を表示する表示処理手段、ユーザによる指示により前記騒音測定器と連動して騒音測定を行う測定デバイス制御手段、前記騒音測定の結果の合否を判定し、その判定結果を前記表示処理手段に表示させる測定データ処理手段、として機能させるためのプログラムであることを特徴とする。
【発明の効果】
【００１１】
本発明の一実施形態によれば、施工の現場における騒音測定を効率化できる。騒音測定が効率化されることで、騒音測定にかかわる施工管理工数が削減され、省力化及び省人化が図られる。
【図面の簡単な説明】
【００１２】
【図１】本実施形態に係る施工管理システムの一例のシステム構成図である。
【図２】本実施形態に係るコンピュータの一例のハードウェア構成図である。
【図３】本実施形態に係るタブレット端末の一例のハードウェア構成図である。
【図４】本実施形態に係る施工管理システムの一例の処理ブロック図である。
【図５】図面テーブル、検査アイコンテーブル及び検査アイコン情報テーブルの一例の構成図である。
【図６】事前登録処理の一例のシーケンス図である。
【図７】騒音測定情報及び検査アイコンを登録する画面の一例のイメージ図である。
【図８】ダウンロード処理の一例のシーケンス図である。
【図９】選択した検査アイコンの検査アイコン情報を確認する画面の一例のイメージ図である。
【図１０】騒音測定の一例のシーケンス図である。
【図１１】騒音測定後の検査アイコン情報を確認する画面の一例のイメージ図である。
【図１２】測定データ処理の一例のフローチャートである。
【図１３】検査アイコン更新処理の一例のシーケンス図である。
【図１４】騒音測定の結果を確認する画面の一例のイメージ図である。
【図１５】印刷される帳票ファイルの一例のイメージ図である。
【発明を実施するための形態】
【００１３】
次に、本発明の実施の形態について、詳細に説明する。
［第１の実施形態］
＜システム構成＞
図１は本実施形態に係る施工管理システムの一例のシステム構成図である。図１に示すように本実施形態に係る施工管理システム１は、サーバ装置１０と、１台以上のＰＣ１２と、複数台のタブレット端末１４と、複数台の騒音測定器１５と、を有する。サーバ装置１０、ＰＣ１２及びタブレット端末１４はインターネットなどのネットワーク１６により接続されている。タブレット端末１４と騒音測定器１５とは、Ｂｌｕｅｔｏｏｔｈ（登録商標）などの近距離無線通信によりデータ通信可能である。タブレット端末１４と騒音測定器１５とは、有線通信によりデータ通信を行ってもよい。
【００１４】
図１ではＰＣ１２が、施工管理を行うユーザの事務所にある例を表す。タブレット端末１４及び騒音測定器１５は施工管理を行うユーザにより施工現場に持ち込まれる。ユーザはＰＣ１２を操作し、必要な情報をサーバ装置１０に登録したり、サーバ装置１０から必要な情報を取得して表示させたり、することができる。また、ユーザはタブレット端末１４及び騒音測定器１５を操作し、必要な情報をサーバ装置１０に登録したり、サーバ装置１０から必要な情報を取得して表示させたり、することができる。
【００１５】
ＰＣ１２は、ユーザが事務所において操作するクライアント端末の一例である。事務所において操作するクライアント端末は、スマートフォン、タブレット端末などであってもよい。タブレット端末１４はユーザが施工現場において操作するクライアント端末の一例である。タブレット端末１４は、内蔵又は外付けを問わず、写真撮影機能を有する。施工現場において操作するクライアント端末は、内蔵又は外付けを問わず、写真撮影機能を有しているスマートフォン、ノートＰＣなどであってもよい。
【００１６】
騒音測定器１５はオクターブバンド分析されたそれぞれの音圧レベルを騒音データとして測定する測定器である。音圧レベルは音の物理的大きさの尺度である。騒音測定器１５はタブレット端末１４にインストールされた後述の騒音測定アプリと連動し、騒音データを測定して、タブレット端末１４に送信する。
【００１７】
サーバ装置１０は、ＰＣ１２及びタブレット端末１４から騒音測定の結果を受け付ける機能やＰＣ１２及びタブレット端末１４に騒音測定の結果を表示するための情報を提供する機能を有する。また、サーバ装置１０は、ＰＣ１２及びタブレット端末１４から騒音測定の進捗管理のための情報の登録を受け付ける機能やＰＣ１２及びタブレット端末１４に騒音測定の進捗管理のための情報を提供する機能を有する。なお、図１のサーバ装置１０の構成は一例であって、複数のコンピュータに分散して構成するようにしてもよい。
【００１８】
図１の施工管理システム１は、ＰＣ１２とタブレット端末１４とが異なる例を示しているが、例えばＰＣ１２とタブレット端末１４とが同種のクライアント端末でも同一のクライアント端末でもよい。同一のクライアント端末の場合、ユーザは事務所で使用していたクライアント端末を施工現場に携帯して持ち込み、利用する。また、図１の施工管理システム１は、タブレット端末１４と騒音測定器１５との連動により騒音データを測定しているがタブレット端末１４のマイクにより騒音データを測定することもできる。
【００１９】
＜ハードウェア構成＞
サーバ装置１０、ＰＣ１２は例えば図２に示すようなハードウェア構成のコンピュータにより実現される。図２は、本実施形態に係るコンピュータの一例のハードウェア構成図である。
【００２０】
図２のコンピュータ５００は入力装置５０１、表示装置５０２、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。なお、入力装置５０１及び表示装置５０２は必要なときに接続して利用する形態であってもよい。
【００２１】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００２２】
通信Ｉ／Ｆ５０７はコンピュータ５００を各種ネットワークに接続するインタフェースである。これにより、コンピュータ５００は通信Ｉ／Ｆ５０７を介してデータ通信を行うことができる。
【００２３】
また、ＨＤＤ５０８は、プログラムやデータを格納している不揮発性の記憶装置の一例である。格納されるプログラムやデータには、コンピュータ５００全体を制御する基本ソフトウェアであるＯＳ、ＯＳ上で各種機能を提供するプログラムなどがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２４】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２５】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定などのプログラムやデータが格納されている。ＲＡＭ５０４は、プログラムやデータを一時保持する揮発性の半導体メモリ（記憶装置）の一例である。
【００２６】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。サーバ装置１０及びＰＣ１２は、例えば図２に示すようなハードウェア構成においてＣＰＵ５０６がプログラムを実行することにより、後述するような各種処理を実現できる。
【００２７】
タブレット端末１４は例えば図３に示すハードウェア構成により実現される。図３は本実施形態に係るタブレット端末の一例のハードウェア構成図である。図３のタブレット端末１４は、ＣＰＵ６０１、ＲＯＭ６０２、ＲＡＭ６０３、ＥＥＰＲＯＭ６０４、ＣＭＯＳセンサ６０５、加速度・方位センサ６０６、メディアドライブ６０８を備えている。
【００２８】
ＣＰＵ６０１はタブレット端末１４全体の動作を制御する。ＲＯＭ６０２は基本入出力プログラムを記憶している。ＲＡＭ６０３はＣＰＵ６０１のワークエリアとして使用される。ＥＥＰＲＯＭ６０４はＣＰＵ６０１の制御にしたがってデータの読み出し又は書き込みが行われる。ＣＭＯＳセンサ６０５は、写真撮影のための画像データの取得機能を実現する。ＣＭＯＳセンサ６０５はＣＰＵ６０１の制御に従って撮影を行い、画像データを得る。ＣＭＯＳセンサ６０５は被写体を撮像することができるのであれば、例えばＣＣＤ（Charge  Coupled  Device）センサであってもよい。加速度・方位センサ６０６は、地磁気を検知する電子磁気コンパスやジャイロコンパス、加速度センサ等である。
【００２９】
メディアドライブ６０８は、フラッシュメモリ等の記録メディア６０７に対するデータの読み出し又は書き込み（記憶）を制御する。メディアドライブ６０８は、既に記録されていたデータが読み出され又は新たにデータが書き込まれて記憶する記録メディア６０７を着脱自在な構成となっている。なお、図３のハードウェア構成は一例であり、メディアドライブ６０８が無い構成であってもよい。
【００３０】
なお、ＥＥＰＲＯＭ６０４には、ＣＰＵ６０１が実行するＯＳ、ネットワーク設定に必要なアソシエーション情報等が記憶されている。本発明の実施形態における各種処理を実行するためのアプリケーションは、ＥＥＰＲＯＭ６０４又は記録メディア６０７などに記憶されている。
【００３１】
さらに、タブレット端末１４は、音声入力部６０９、音声出力部６１０、アンテナ６１１、通信部６１２、無線ＬＡＮ通信部６１３、近距離無線通信用アンテナ６１４、近距離無線通信部６１５、ディスプレイ６１６、タッチパネル６１７及びバスライン６１９を備える。
【００３２】
音声入力部６０９は音声を音声信号に変換する。音声出力部６１０は音声信号を音声に変換する。通信部６１２はアンテナ６１１を利用して無線通信信号により最寄りの基地局装置と通信を行う。無線ＬＡＮ通信部６１３はＩＥＥＥ８０２．１１規格等に準拠する無線ＬＡＮ通信を行う。近距離無線通信部６１５は近距離無線通信用アンテナ６１４を利用したＢｌｕｅｔｏｏｔｈ（登録商標）などの近距離無線通信を行う。
【００３３】
ディスプレイ６１６は、被写体の画像や各種アイコン等を表示する液晶や有機ＥＬ等である。タッチパネル６１７は、ディスプレイ６１６上に載せられ、感圧式又は静電式のパネルによって構成され、指やタッチペン等によるタッチによってディスプレイ６１６上におけるタッチ位置を検出する。バスライン６１９は上記各部を電気的に接続するためのアドレスバスやデータバス等である。
【００３４】
また、タブレット端末１４は専用の電池６１８を備えている。タブレット端末１４は電池６１８によって駆動される。なお、音声入力部６０９は音声を入力するマイクが含まれる。音声出力部６１０は音声を出力するスピーカが含まれている。タブレット端末１４は例えば図４に示すハードウェア構成においてＣＰＵ６０１が後述の騒音測定アプリや図面共有アプリなどの各種アプリケーションを実行することにより、後述の各種処理を実現できる。
【００３５】
＜ソフトウェア構成＞
本実施形態に係る施工管理システム１は例えば図４に示すような処理ブロックにより実現される。図４は本実施形態に係る施工管理システムの一例の処理ブロック図である。
【００３６】
サーバ装置１０はプログラムを実行することにより、図面ファイル登録部３１、騒音測定情報登録部３２、検査アイコン登録部３３、検査アイコン情報提供部３４、検査アイコン情報更新部３５、テーブル保存部３６、図面ファイル保存部３７、検査アイコン情報保存部３８を実現している。
【００３７】
図面ファイル登録部３１はＰＣ１２からの図面ファイル登録要求に応じて施工現場の図面を電子化した図面ファイルを図面ファイル保存部３７に保存する。騒音測定情報登録部３２はＰＣ１２からの騒音測定情報登録要求に応じて騒音測定情報を検査アイコン情報保存部３８に保存する。
【００３８】
検査アイコン登録部３３は、ＰＣ１２からの検査アイコン情報登録要求に応じて、電子化された施工現場の図面上の位置と対応付けて、施工現場における騒音測定場所を示す検査アイコンの情報（検査アイコンテーブル）をテーブル保存部３６に保存する。また、検査アイコン登録部３３は検査アイコンと検査アイコン情報とを対応付ける情報（検査アイコン情報テーブル）を検査アイコン情報保存部３８に保存する。
【００３９】
検査アイコン情報提供部３４はタブレット端末１４からの要求に応じてタブレット端末１４に図面ファイル及び検査アイコン情報を提供する。検査アイコン情報更新部３５は騒音測定が行われると、その騒音測定結果で検査アイコン情報を更新する。また、検査アイコン情報更新部３５はＰＣ１２やタブレット端末１４で検査アイコン情報の編集操作が行われると、その編集操作により検査アイコン情報を更新する。
【００４０】
検査アイコン情報提供部３４は検査アイコン情報を複数台のタブレット端末１４に提供する。サーバ装置１０は複数台のタブレット端末１４による騒音測定の結果を複数のタブレット端末１４に配信し、検査アイコン情報を複数のタブレット端末１４の間で直ちに共有させることができる。
【００４１】
検査アイコン情報更新部３５はテーブル保存部３６に保存された検査アイコンテーブルの情報を更新する。検査アイコン情報更新部３５は更新した検査アイコンの情報を、複数のタブレット端末１４に同時に配信する。例えばテーブル保存部３６は後述の図面テーブル及び検査アイコンテーブルを保存している。図面ファイル保存部３７は電子化された施工現場の図面ファイルを保存している。検査アイコン情報保存部３８は検査アイコン情報テーブルを保存している。
【００４２】
また、ＰＣ１２はＷＥＢアプリケーションなどのプログラムを実行することで、操作判断部４１、表示処理部４２、図面ファイル登録受付部４３、騒音測定情報登録受付部４４及び検査アイコン登録受付部４５を実現している。
【００４３】
操作判断部４１はユーザから受け付けた操作を判断する。表示処理部４２はＰＣ１２の表示装置５０２に後述するような画面を表示させる。図面ファイル登録受付部４３は施工現場の図面ファイルを登録する操作をユーザから受け付けると、その図面ファイルの登録要求をサーバ装置１０に対して行う。騒音測定情報登録受付部４４は騒音測定情報を登録する操作をユーザから受け付けると、騒音測定情報の登録要求をサーバ装置１０に対して行う。検査アイコン登録受付部４５は検査アイコンを施工現場の図面上に登録する操作をユーザから受け付けると、その検査アイコンの登録要求をサーバ装置１０に対して行う。
【００４４】
また、タブレット端末１４は図面共有アプリ５０や騒音測定アプリ６０などのプログラムを実行することで、操作判断部５１、表示処理部５２、検査アイコン情報取得部５３、図面ファイル取得部５４、アプリ切替制御部５５、測定データ処理部５６、検査アイコン更新処理部５７、検査アイコン情報送信部５８、測定デバイス制御部６１及び測定データ送受信部６２を実現している。
【００４５】
操作判断部５１はユーザから受け付けた操作を判断する。表示処理部５２はタブレット端末１４のディスプレイ６１６に後述するような画面を表示させる。検査アイコン情報取得部５３はサーバ装置１０から施工現場の図面上に登録された検査アイコン情報を取得する。図面ファイル取得部５４はサーバ装置１０から電子化された施工現場の図面ファイルを取得する。
【００４６】
アプリ切替制御部５５は図面共有アプリ５０と騒音測定アプリ６０との間のアプリ切り替えを制御する。測定データ処理部５６は騒音測定器１５において測定された騒音データを処理し、ＮＣ（Noise  Criteria）許容値との比較による良否判定を行い、検査アイコン情報に反映する。
【００４７】
検査アイコン更新処理部５７は、施工現場の図面上に表示されている検査アイコンの色の制御を行う。騒音測定が完了した騒音測定場所の検査アイコンの色を、未完了を示す色から完了を示す色に変更する。また、検査アイコン更新処理部５７は検査アイコンの更新要求をサーバ装置１０に対して行う。検査アイコン情報送信部５８はタブレット端末１４で更新された検査アイコン情報をサーバ装置１０に送信する。
【００４８】
測定デバイス制御部６１及び測定データ送受信部６２は騒音測定アプリ６０により実現されている。図面共有アプリ５０から騒音測定アプリ６０に切り替わると、測定デバイス制御部６１はＢｌｕｅｔｏｏｔｈ（登録商標）などの近距離無線通信により測定デバイスである騒音測定器１５と連動し、騒音データを測定する。測定データ送受信部６２は騒音測定器１５で測定した騒音データを受信し、その騒音データを図面共有アプリ５０に送信する。騒音データの測定が終了すると、タブレット端末１４は騒音測定アプリ６０から図面共有アプリ５０に切り替わる。
【００４９】
サーバ装置１０に保存される図面テーブル、検査アイコンテーブル及び検査アイコン情報テーブルは、例えば図５に示すように関連付けられている。図５は図面テーブル、検査アイコンテーブル及び検査アイコン情報テーブルの一例の構成図である。
【００５０】
図５の図面テーブルは、図面ＩＤ、現場ＩＤ及びファイル保存パスを項目として含む構成である。図面テーブルは施工現場を特定する現場ＩＤと対応付けられている。図面ＩＤは図面を特定する情報の一例である。ファイル保存パスは図面ファイルの保存先を示している。
【００５１】
図５の検査アイコンテーブルは検査アイコンＩＤ、図面ＩＤ、座標、色、連番、完了ステータス及び検査アイコン情報ＩＤを項目として含む構成である。検査アイコンテーブルは図面ＩＤにより図面テーブルと対応付けられている。検査アイコンＩＤは検査アイコンを特定する情報の一例である。
【００５２】
座標は、検査アイコンが登録されている図面上の位置を表す。色は施工現場の図面上に表示される検査アイコンの色を表す。連番は、同一の図面上に登録されている検査アイコンに連続的に振られている番号である。完了ステータスは、検査アイコンが示す位置での騒音測定の完了／未完了を表す。検査アイコンテーブルは検査アイコン情報を特定する検査アイコン情報ＩＤと対応付けられている。
【００５３】
また、図５の検査アイコン情報テーブルは検査アイコン情報ＩＤ、検査アイコンＩＤ、場所、ＮＣ許容値、測定値、備考を項目として有する。検査アイコン情報テーブルは、検査アイコンＩＤにより検査アイコンテーブルと対応付けられている。
【００５４】
検査アイコン情報ＩＤは検査アイコン情報を特定する情報の一例である。場所、ＮＣ許容値はＰＣ１２から登録された騒音測定情報の一例である。測定値は、騒音測定器１５により測定した騒音データである。備考は後述の備考欄にユーザが記載した情報である。
【００５５】
図５から明らかなように、各図面には１つ以上の検査アイコンを対応付けることができ、各検査アイコンに検査アイコン情報を対応付けることができる。
【００５６】
＜処理の詳細＞
以下では、本実施形態に係る施工管理システム１の処理の詳細について説明する。
【００５７】
《施工管理システムの処理概要》
本実施形態に係る施工管理システム１は以下の手順により施工現場における騒音測定を効率化する。施工管理を行うユーザは施工現場の図面ファイルを登録する操作をＰＣ１２に対して行う。ＰＣ１２は施工現場の図面ファイルをサーバ装置１０に登録する。
【００５８】
また、ユーザは騒音測定情報を登録する画面を表示させるための操作をＰＣ１２に対して行う。ＰＣ１２は騒音測定情報を登録する画面を表示する。ユーザはＰＣ１２に表示された騒音測定情報を登録する画面から騒音測定情報を登録する。
【００５９】
また、ユーザは、検査アイコンを登録する画面を表示させるための操作をＰＣ１２に対して行う。ＰＣ１２はユーザに選択された施工現場の図面ファイルを表示する。ユーザはＰＣ１２に表示された施工現場の図面上に、施工現場における騒音測定場所を示す検査アイコンを登録する操作を行う。また、ユーザは検査アイコンと騒音測定情報とを対応付けて検査アイコン情報を生成する操作を行う。ＰＣ１２は施工現場の図面上に対応付けられた検査アイコン及び検査アイコン情報をサーバ装置１０に登録する。
【００６０】
ユーザは電子化された施工現場の図面ファイル、その図面ファイルに登録された検査アイコン、検査アイコン情報をサーバ装置１０から取り込む操作をタブレット端末１４に対して行う。タブレット端末１４は取り込んだ施工現場の図面ファイルを表示し、図面上に検査アイコンを表示する。
【００６１】
ユーザは施工現場の騒音測定場所に行き、その騒音測定場所に対応する検査アイコンを選択する。タブレット端末１４は選択された検査アイコンの「検査アイコン情報を確認する画面」を表示する。なお、「検査アイコン情報を確認する画面」には、騒音測定を開始するためのボタン等が設けられている。ユーザはタブレット端末１４に表示された「検査アイコン情報を確認する画面」から騒音測定を開始する指示を行うことができる。
【００６２】
ユーザから騒音測定を開始する指示があったと判定すると、タブレット端末１４は騒音測定アプリ６０に切り替え、騒音測定器１５による騒音測定が可能な状態となる。ユーザは騒音測定器１５で、騒音を測定する。
【００６３】
測定が終了すると、タブレット端末１４は図面共有アプリ５０に切り替え、騒音測定器１５において測定された騒音データを処理し、ＮＣ許容値に対応するＮＣ曲線との比較による良否判定を行い、「検査アイコン情報を確認する画面」に反映する。ユーザは、測定後、直ぐに良否判定を確認することができるので、合格でなければ、空調設備以外の音源を停止させるなど、合格とするための処置を行った後、騒音測定を迅速にやり直すことができる。
【００６４】
騒音測定が正常終了すると、タブレット端末１４は騒音測定の結果をサーバ装置１０にアップロードする。また、サーバ装置１０は施工現場における騒音測定の進捗管理を支援するため、未完了の検査アイコンの色と、完了の検査アイコンの色と、が異なる色となるように変化させる。ユーザは現場業務後、事務所に戻り、騒音測定の結果をサーバ装置１０からＰＣ１２にダウンロードし、騒音測定の結果の確認や、帳票ファイルの出力を行うことができる。
【００６５】
このように、本実施形態に係る施工管理システム１によれば、ユーザはＰＣ１２から施工現場の図面と、その図面上の位置で表した施工現場における騒音測定場所の情報と、を事前に登録しておき、タブレット端末１４に取り込むことができる。また、タブレット端末１４は、騒音測定が未完了の状態及び完了の状態を、検査アイコンの色で区別して表すことができる。したがって、ユーザは図面上に表示された検査アイコンの色により騒音測定が完了した騒音測定場所を一目で認識でき、測定漏れや重複測定を効果的に防ぐことができる。このように、本実施形態に係る施工管理システム１はユーザが施工現場において行う騒音測定を効率化できる。
【００６６】
《事前登録》
ユーザがＰＣ１２から行う事前登録処理は、例えば図６に示す手順で行われる。図６は事前登録処理の一例のシーケンス図である。ユーザは施工現場の図面ファイルをサーバ装置１０に登録する。また、ユーザは施工現場の図面が表示された図７の画面１２００を表示させるための操作をＰＣ１２に対して行う。図７は騒音測定情報及び検査アイコンを登録する画面の一例のイメージ図である。
【００６７】
画面１２００において、ユーザは騒音測定情報を登録する画面１２０３を表示させるための操作をＰＣ１２に対して行う。ＰＣ１２の騒音測定情報登録受付部４４は騒音測定情報を登録する例えば画面１２０３を表示する。騒音測定情報を登録する画面１２０３には騒音測定場所の名前と、その騒音測定場所のＮＣ許容値を入力できる。なお、同じ部屋に騒音測定場所が複数ある場合が多い為、騒音測定情報登録受付部４４は騒音測定場所の名前が重複した場合に、自動でアルファベットなどの記号を付与することにより、各騒音測定場所を区別できるようにしてもよい。
【００６８】
また、図７の画面１２０３には周波数により同じ音の大きさに聞こえる音圧レベルを表した特性として「Ａ特性」または「Ｃ特性」をユーザに選択させるボタン１２０４が設けられている。ＮＣ許容値は、その騒音測定場所で目標とするＮＣ曲線を示す。
【００６９】
ステップＳ２１においてユーザは、騒音測定情報を登録する画面１２０３に、騒音測定場所の名前と、その騒音測定場所のＮＣ許容値とを入力して、騒音測定情報を登録する操作を行う。ステップＳ２２に進み、ＰＣ１２の騒音測定情報登録受付部４４は画面１２０３に登録された騒音測定情報を表示する。
【００７０】
ステップＳ２３に進み、騒音測定情報登録受付部４４は画面１２０３に登録された騒音測定情報の登録要求をサーバ装置１０に対して行う。ステップＳ２４において、サーバ装置１０の騒音測定情報登録部３２はＰＣ１２からの騒音測定情報登録要求に応じて騒音測定情報を検査アイコン情報保存部３８に保存する。
【００７１】
ステップＳ２５において、ユーザは図面上への検査アイコン１２０２の登録を開始する検査アイコン登録開始ボタン１２０１を押下し、図面上の騒音測定場所に検査アイコン１２０２を登録する。
【００７２】
ステップＳ２６においてＰＣ１２の検査アイコン登録受付部４５はユーザにより登録された検査アイコン１２０２を図面上に表示する。ステップＳ２７においてユーザは登録した検査アイコン１２０２と対応付ける騒音測定情報を画面１２０３から選択する。検査アイコン登録受付部４５は登録した検査アイコン１２０２と画面１２０３から選択された騒音測定情報とを対応付ける。なお、ステップＳ２７の処理は、画面１２０３の騒音測定情報を画面１２００の図面上にドラック＆ドロップすることで行ってもよい。
【００７３】
ステップＳ２８に進み、検査アイコン登録受付部４５はサーバ装置１０に対して検査アイコン情報登録要求を行う。ステップＳ２９において、サーバ装置１０の検査アイコン登録部３３は、ＰＣ１２からの検査アイコン情報登録要求に応じて、検査アイコンテーブルをテーブル保存部３６に保存する。また、検査アイコン登録部３３は、検査アイコン情報テーブルを検査アイコン情報保存部３８に保存する。
【００７４】
図６の処理により、ユーザは施工現場における騒音測定場所を示す検査アイコン１２０２の図面上への登録と、検査アイコン１２０２に対応する騒音測定場所の騒音測定情報の登録とを事前に行うことができる。
【００７５】
《タブレット端末へのダウンロード》
ユーザがタブレット端末１４から行うダウンロード処理は、例えば図８に示す手順で行われる。図８はダウンロード処理の一例のシーケンス図である。ステップＳ３１においてユーザは電子化された施工現場の図面ファイル、その図面ファイルに登録された検査アイコン、検査アイコン情報をサーバ装置１０から取り込む操作をタブレット端末１４に対して行う。
【００７６】
ステップＳ３２においてタブレット端末１４の図面ファイル取得部５４はサーバ装置１０に電子化された施工現場の図面ファイルを要求する。また、検査アイコン情報取得部５３はサーバ装置１０から施工現場の図面上に登録された検査アイコン情報を要求する。ステップＳ３３においてタブレット端末１４の図面ファイル取得部５４はサーバ装置１０から電子化された施工現場の図面ファイルを取得する。また、検査アイコン情報取得部５３はサーバ装置１０から施工現場の図面上に登録された検査アイコン情報を取得する。
【００７７】
ステップＳ３４において、タブレット端末１４の表示処理部５２は図面上に検査アイコン１２０２が表示された画面１３００を表示する。ステップＳ３５においてユーザは図面上に表示された検査アイコン１２０２を選択することで、選択した検査アイコン１２０２の画面１３０１を表示する。画面１３０１は「検査アイコン情報を確認する画面」の一例である。
【００７８】
タブレット端末１４の操作判断部５１は図面上に表示された検査アイコン１２０２に対するユーザの選択操作を判断する。検査アイコン１２０２に対するユーザの選択操作があれば、表示処理部５２はステップＳ３６に進み、選択した検査アイコン１２０２の画面１３０１を図９のように表示する。図９は選択した検査アイコンの検査アイコン情報を確認する画面の一例のイメージ図である。
【００７９】
画面１３０１には、騒音測定場所の名前、ＮＣ許容値を表す目標ＮＣ値、目標とするＮＣ曲線が図示されたＮＣ曲線のグラフ、騒音測定の結果を表示する欄、騒音測定器１５による測定を開始するためのボタン１３０２が含まれる。
【００８０】
目標とするＮＣ曲線が図示されたＮＣ曲線のグラフは横軸がオクターブバンド中心周波数を示し、縦軸が音圧レベルを示している。グラフにおいて、目標とするＮＣ曲線は例えば色を他のＮＣ値のＮＣ曲線と異ならせる。図９では、ＮＣ値「４５」のＮＣ曲線が目標とするＮＣ曲線となっている。
【００８１】
また、図９では騒音測定の結果を表示する欄が、騒音測定の前である為、空欄となっている。騒音測定の結果を表示する欄には、騒音測定の後、オクターブバンドごとの音圧レベルが騒音データとして表示され、更に、それぞれの騒音測定のＮＣ値と、騒音測定の結果の良否判定を表す項目「良否」とが含まれている。
【００８２】
《騒音測定》
ユーザがタブレット端末１４と騒音測定器１５とを連動させて行う騒音測定は、例えば図１０に示す手順で行われる。図１０は騒音測定の一例のシーケンス図である。ステップＳ４１においてユーザは測定開始操作として、騒音測定器１５による測定を開始するためのボタン１３０２を押下する。
【００８３】
ステップＳ４２においてタブレット端末１４の操作判断部５１は騒音測定器１５による測定を開始するためのボタン１３０２の押下操作を判断する。ボタン１３０２の押下操作があれば、図面共有アプリ５０のアプリ切替制御部５５は騒音測定アプリ６０に測定開始を要求し、騒音測定アプリ６０へのアプリ切り替えを行う。
【００８４】
ステップＳ４３に進み、騒音測定アプリ６０の測定デバイス制御部６１は騒音測定器１５に測定データを要求する。ステップＳ４４において、騒音測定器１５は騒音データを測定する。ステップＳ４５において、騒音測定器１５は測定した騒音データをタブレット端末１４の騒音測定アプリ６０に返す。
【００８５】
ステップＳ４６に進み、騒音測定アプリ６０の測定データ送受信部６２は、騒音データを図面共有アプリ５０に送信する。騒音データの測定が終了すると、アプリ切替制御部５５は騒音測定アプリ６０から図面共有アプリ５０へのアプリ切り替えを行う。
【００８６】
ステップＳ４７に進み、タブレット端末１４の測定データ処理部５６は騒音測定器１５において測定された騒音データを処理し、その騒音測定のＮＣ値を求め、ＮＣ許容値との比較による良否判定を行う。そして、測定データ処理部５６は騒音測定の結果を例えば図１１のように画面１３０１に反映させる。
【００８７】
図１１は騒音測定後の検査アイコン情報を確認する画面の一例のイメージ図である。図１１の画面１３０１では、目標とするＮＣ曲線が図示されているＮＣ曲線のグラフに、オクターブバンド中心周波数ごとの音圧レベルが書き込まれている。図１１の画面１３０１の例では、騒音データの中に、ＮＣ値「４０」のＮＣ曲線とＮＣ値「４５」のＮＣ曲線との間に達している音圧レベルがあるため、騒音測定のＮＣ値が「４５」となる。
【００８８】
また、騒音測定の結果を表示する欄には、オクターブバンド中心周波数ごとの音圧レベルと、その騒音測定のＮＣ値「４５」と、騒音測定の結果の良否判定「○」と、が書き込まれている。図１１の画面１３０１の例では騒音測定のＮＣ値「４５」が測定箇所におけるＮＣ許容値を表す目標ＮＣ値を超えていないため、騒音測定の結果が目標ＮＣ値をクリアしていることを表す「○」が騒音測定の結果の良否判定として書き込まれている。騒音データの中に、ＮＣ値「４５」のＮＣ曲線とＮＣ値「５０」のＮＣ曲線との間に達している音圧レベルがある場合、騒音測定のＮＣ値が「５０」となる。図７で示したように、測定箇所が事務所Ａの場合におけるＮＣ許容値は「４５」である。事務所Ａにおける騒音測定のＮＣ値が「５０」の場合は、事務所Ａにおける騒音測定の結果は目標ＮＣ値をクリアしていないことを示す「×」である。「良否」欄には、「×」が表示される。なお、図１１の画面１３０１の備考欄１３０３は、記載した情報が図５の検査アイコン情報テーブルの項目「備考」と同期される。
【００８９】
ユーザは、画面１３０１の騒音測定の結果の項目「良否」により、それぞれの騒音測定の結果の良否判定を容易に行うことができる。例えば、事務所Ａにおける騒音測定の結果は目標ＮＣ値をクリアしていないことを示す「×」である場合には、騒音測定の終了後、直ちに事務所Ａにおける騒音対策を施し、再度騒音測定を行うことができる。ステップＳ４８において、図面共有アプリ５０の検査アイコン更新処理部５７は施工現場の図面上に表示されている検査アイコン１２０２の色の制御を行う。具体的に、検査アイコン更新処理部５７は騒音測定が完了した騒音測定場所の検査アイコン１２０２の色を、未完了を示す色から完了を示す色に変更する。検査アイコン更新処理部５７は検査アイコン１２０２の更新要求を、このタイミングでサーバ装置１０に対して行ってもよい。
【００９０】
ステップＳ４９に進み、検査アイコン情報送信部５８は騒音測定の結果が反映された検査アイコン情報をサーバ装置１０に送信する。ステップＳ５０に進み、サーバ装置１０の検査アイコン情報更新部３５は、騒音測定の結果が反映された検査アイコン情報で、検査アイコン情報保存部３８に保存されている検査アイコン情報を更新する。
【００９１】
図１０のステップＳ４７の測定データ処理は例えば図１２に示す手順で行われる。図１２は測定データ処理の一例のフローチャートである。測定データ処理部５６はステップＳ６１において、騒音データから騒音測定のＮＣ値を算出する。
【００９２】
ステップＳ６２に進み、測定データ処理部５６は騒音測定のＮＣ値とＮＣ許容値との比較による良否判定を行う。ステップＳ６３に進み、測定データ処理部５６は、オクターブバンド中心周波数ごとの音圧レベルと、その騒音測定のＮＣ値と、騒音測定の結果の良否判定とを、検査アイコン情報に反映させる。
【００９３】
そして、ステップＳ６４に進み、測定データ処理部５６はオクターブバンド中心周波数ごとの音圧レベルと、その騒音測定のＮＣ値と、騒音測定の結果の良否判定とが反映された画面１３０１となるように、目標とするＮＣ曲線が図示されているＮＣ曲線のグラフ及び騒音測定の結果を表示する欄を更新する。
【００９４】
《検査アイコン更新処理》
サーバ装置１０は施工現場における騒音測定の進捗管理を支援するため、図１３に示す処理により、未完了の検査アイコンの色と、完了の検査アイコンの色と、が異なる色となるように変化させる。図１３は検査アイコン更新処理の一例のシーケンス図である。図１３の検査アイコン更新処理が開始されるタイミングは、目標ＮＣ値をクリアして騒音測定が完了したタイミングとなる。
【００９５】
ステップＳ１０１において、検査アイコン更新処理部５７は騒音測定が完了した騒音測定場所の検査アイコン１２０２の色を、完了を表す色に変化させる。また、ステップＳ１０２において、検査アイコン情報送信部５８はステップＳ１０２において、騒音測定の結果が反映された検査アイコン情報をサーバ装置１０に送信する。
【００９６】
ステップＳ１０３に進み、サーバ装置１０の検査アイコン情報更新部３５は、騒音測定の結果が反映された検査アイコン情報で、検査アイコン情報保存部３８に保存されている検査アイコン情報を更新する。ステップＳ１０４に進み、サーバ装置１０は更新した検査アイコン情報を他のタブレット端末１４に配信する。
【００９７】
このように、更新した検査アイコン情報がサーバ装置１０から複数のタブレット端末１４に配信されることで、施工現場での騒音測定を複数人のユーザが複数台のタブレット端末１４及び騒音測定器１５で行う場合であっても、騒音測定を効率化できる。
【００９８】
複数のタブレット端末１４の検査アイコン１２０２の色が騒音測定の完了により変更となるので、複数人のユーザが現場で騒音測定を行う場合であっても、騒音測定場所に行く前に騒音測定の完了／未完了を把握でき、移動時間を無駄にすることがない。騒音測定場所や騒音測定に必要な情報は、現場管理事務所等において事前に登録されている。このため、施工現場における騒音測定作業自体は、施工作業を行う作業員が退出した後の定時時間外に行うことになるが、その騒音測定作業を短時間で終わらせることが可能となる。
【００９９】
《事後処理》
ユーザがＰＣ１２から行う事後処理は、現場業務後、事務所に戻り、騒音測定の結果をサーバ装置１０からＰＣ１２にダウンロードし、騒音測定の結果の確認や、帳票ファイルの出力を行うものである。ユーザはサーバ装置１０にアップロードされた検査アイコン情報をダウンロードすることで、例えば図１４の画面１２００をＰＣ１２に表示できる。図１４は騒音測定の結果を確認する画面の一例のイメージ図である。
【０１００】
図１４の画面１２００を操作することにより、ユーザは騒音測定の結果を確認する画面１５０１を表示できる。画面１５０１には、画面１２００の図面上に表示された検査アイコン１２０２に対応する騒音測定場所の騒音測定の結果が表示されている。ユーザは画面１５０１の印刷チェックボックス１５０４にチェックを入れ、出力ボタン１５０２を押下することで、チェックを入れた騒音測定場所の騒音測定の結果を例えば図１５に示す帳票ファイルを印刷できる。
【０１０１】
図１５は印刷される帳票ファイルの一例のイメージ図である。図１５の帳票ファイルは目標とするＮＣ曲線が図示されているＮＣ曲線のグラフに、オクターブバンド中心周波数ごとの音圧レベルが書き込まれている。また、図１５の帳票ファイルは騒音測定の結果を表示する欄に、オクターブバンド中心周波数ごとの音圧レベルと、その騒音測定の結果の良否判定と、が書き込まれている。
【０１０２】
また、図１４の画面１５０１において、測定値である騒音測定のＮＣ値がＮＣ許容値を超えている場合、測定値の表示は赤色など、測定値である騒音測定のＮＣ値がＮＣ許容値を超えていない場合の色と異なる色により行われる。したがって、ユーザはＮＣ許容値を超えている騒音測定の結果があることを把握し易くなる。
【０１０３】
また、ユーザは画面１５０１のマーク１５０３をクリックなどで選択することにより図１１の画面１３０１のような騒音測定の結果が書き込まれたＮＣ曲線のグラフと騒音測定の結果を表示する欄とが含まれるウインドウを表示できる。
【０１０４】
本発明は、具体的に開示された上記の実施形態に限定されるものではなく、特許請求の範囲から逸脱することなく、種々の変形や変更が可能である。
【符号の説明】
【０１０５】
１    施工管理システム
１０    サーバ装置
１２    ＰＣ（パーソナルコンピュータ）
１４    タブレット端末
１５    騒音測定器
１６    ネットワーク
３１    図面ファイル登録部
３２    騒音測定情報登録部
３３    検査アイコン登録部
３４    検査アイコン情報提供部
３５    検査アイコン情報更新部
３６    テーブル保存部
３７    図面ファイル保存部
３８    検査アイコン情報保存部
４１    操作判断部
４２    表示処理部
４３    図面ファイル登録受付部
４４    騒音測定情報登録受付部
４５    検査アイコン登録受付部
５０    図面共有アプリ
５１    操作判断部
５２    表示処理部
５３    検査アイコン情報取得部
５４    図面ファイル取得部
５５    アプリ切替制御部
５６    測定データ処理部
５７    検査アイコン更新処理部
５８    検査アイコン情報送信部
６０    騒音測定アプリ
６１    測定デバイス制御部
６２    測定データ送受信部
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６０１    ＣＰＵ
６０２    ＲＯＭ
６０３    ＲＡＭ
６０４    ＥＥＰＲＯＭ
６０５    ＣＭＯＳセンサ
６０６    加速度・方位センサ
６０７    記録メディア
６０８    メディアドライブ
６０９    音声入力部
６１０    音声出力部
６１１    アンテナ
６１２    通信部
６１３    無線ＬＡＮ通信部
６１４    近距離無線通信用アンテナ
６１５    近距離無線通信部
６１６    ディスプレイ
６１７    タッチパネル
６１８    電池
６１９    バスライン
１２００、１２０３、１３００、１３０１、１５０１    画面
１２０１    検査アイコン登録開始ボタン
１２０２    検査アイコン
１２０４、１３０２    ボタン
１３０３    備考欄
１５０２    出力ボタン
１５０３    マーク
１５０４    印刷チェックボックス
Ｂ    バス
【図１】
2018163423.tif 000003
【図２】
2018163423.tif 000004
【図３】
2018163423.tif 000005
【図４】
2018163423.tif 000006
【図５】
2018163423.tif 000007
【図６】
2018163423.tif 000008
【図７】
2018163423.tif 000009
【図８】
2018163423.tif 000010
【図９】
2018163423.tif 000011
【図１０】
2018163423.tif 000012
【図１１】
2018163423.tif 000013
【図１２】
2018163423.tif 000014
【図１３】
2018163423.tif 000015
【図１４】
2018163423.tif 000016
【図１５】
2018163423.tif 000017